(57)【特許請求の範囲】
【請求項１】
主管腔及び標的部分を有する延伸型ステントグラフトと、
延伸型ステントグラフトに円周方向に卷回された一次スリーブであって、第１及び第２の主要表面と第１の主要表面から第２の主要表面まで延在する複数の開口部とを有する材料シートを含む、一次スリーブと、
シートの複数の部分を解除可能な形で互いに結合して延伸型ステントグラフトを圧潰形状構成に拘束するため、開口部と協働する一次結合部材と、
前記延伸型ステントグラフトに円周方向に卷回された二次スリーブであって、複数の開口部を有する、二次スリーブと、
前記二次スリーブの部分を解除可能な形で共に結合して前記延伸型ステントグラフトを拘束するため、前記二次スリーブの前記複数の開口部と協働する二次結合部材とを含み、
前記一次スリーブが、標的部分の近位にある側方開口部を含み、
前記一次結合部材によって共に保持されていた前記一次スリーブの前記複数の部分と、前記二次結合部材によって共に保持されていた前記二次スリーブの前記複数の部分が、互いとの関係において角変位されている、血管を治療するためのデバイス。
【請求項２】
標的部分が側枝開窓部を含む、請求項１に記載のデバイス。
【請求項３】
標的部分が、側枝開窓部を形成するように穿孔される開窓可能な部分を含む、請求項１に記載のデバイス。
【請求項４】
一次スリーブが、血管内部での搬送のため圧潰形状構成に延伸型ステントグラフトを拘束する、請求項１に記載のデバイス。
【請求項５】
一次スリーブの解除時点で、標的部分は材料シートの相対する縁部の間で露出される、請求項１に記載のデバイス。
【請求項６】
複数の開口部が中を通って延在する第１及び第２の主要表面の縁部が、Ｘ線不透過性マーカーを含む、請求項１に記載のデバイス。
【請求項７】
標的部分が薬剤溶出性要素を含む、請求項１に記載のデバイス。
【請求項８】
前記二次結合部材が延伸型ステントグラフトを中間形状構成に拘束し、中間形状構成は圧潰形状構成の直径よりも大きく非拘束直径における延伸型ステントグラフトの直径よりも小さい直径を含む、請求項１に記載のデバイス。
【請求項９】
主管腔及び少なくとも１つの標的部分を有する延伸型インプラントと、
各々延伸型インプラントに円周方向に巻回されて少なくとも２つの隣接する管を形成する、少なくとも２枚の材料シートであって、各々の管は、別の管端部に隣接する少なくとも１つの管端部を有し、各シートは、第１及び第２の主要表面と、第１の主要表面から第２の主要表面まで延在する複数の開口部とを有する、少なくとも２枚の材料シートと、
各シートの複数の部分を解除可能な形で互いに結合して延伸型インプラントを圧潰形状構成に拘束するため、開口部と協働する結合部材と、を含み、
共に解除可能な形で結合された前記各シートの前記複数の部分が、互いとの関係において角変位されている、血管治療用デバイス。
【請求項１０】
結合部材の係合解除及び延伸型インプラントの延伸の時点で、少なくとも１つの標的部分が１つの管端部ともう１つの隣接する管端部との間に位置づけされる、請求項９に記載のデバイス。
【請求項１１】
管腔内搬送に好適な圧潰形状構成にデバイスを拘束するために、少なくとも２枚の材料シートと延伸型インプラントとのまわりに延在する一次スリーブをさらに含む、請求項９に記載のデバイス。
【請求項１２】
前記少なくとも２枚の材料シートは一次スリーブと二次スリーブとを有し、前記一次スリーブは、前記延伸型インプラントを前記圧潰形状構成に制限するように構成されており、前記二次スリーブは、前記延伸型インプラントを中間形状構成に制限するように構成されており、この中間形状構成では、延伸型インプラントの直径は、管腔内展開に好適な圧潰形状構成よりも大きく、非拘束直径にある延伸型インプラントよりも小さい、請求項９に記載のデバイス。
【請求項１３】
材料シートのうち少なくとも２枚が、長手方向に延在する２つの対向する縁部を有する、請求項９に記載のデバイス。
【請求項１４】
標的部分が長手方向に延在する対向する縁部の間に配置されている、請求項１３に記載のデバイス。
【請求項１５】
標的部分が側枝開窓部を含む、請求項９に記載のデバイス。
【請求項１６】
材料シートの少なくとも１枚の少なくとも１つの縁部がＸ線不透過性材料を含む請求項９に記載のデバイス。
【請求項１７】
標的部分が開窓可能な部分を含む請求項９に記載のデバイス。
【請求項１８】
標的部分が、材料シートの少なくとも１枚の下に配置された治療剤溶出性要素を含み、こうして材料シートの少なくとも１枚の結合部材がひとたび係合解除されたならば、治療剤が露出されるようになっている、請求項９に記載のデバイス。
【請求項１９】
主管腔及び少なくとも１つの標的部分を有する延伸型インプラントと、
少なくとも２つのスリーブと、
少なくとも２つのスリーブの各々が、延伸型インプラントに円周方向に巻回されて、別の管端部に隣接する少なくとも１つの管端部を有する管を形成するシート材料であって、各シートは第１及び第２の主要表面と、第１の主要表面から第２の主要表面まで延在する複数の開口部とを有する、シート材料と、各シートの複数の部分を解除可能な形で互いに結合して延伸型インプラントを圧潰形状構成に拘束するため、開口部と協働する結合部材とを含み、共に解除可能な形で結合された前記各シートの前記複数の部分が、互いとの関係において角変位されている、圧潰形状構成と、
結合部材の係合解除の時点で、延伸型インプラントが延伸され、少なくとも１つの標的部分が１つの管端部ともう１つの隣接する管端部の間に位置づけされている、延伸形状構成と、を含む血管を治療するためのデバイス。
【請求項２０】
デバイスがさらに、延伸型インプラントをとり囲む一次スリーブと少なくとも２つのスリーブとをさらに含んでいる中間形状構成をさらに含み、一次スリーブの時点で、延伸型インプラントが、圧潰形状構成の直径よりも大きく延伸形状構成の直径よりも小さい中間形状構成まで延伸する、請求項１９に記載のデバイス。
【請求項２１】
前記各シートの前記複数の部分が１８０度だけ角変位されている、請求項１９に記載のデバイス。
【発明の詳細な説明】
【技術分野】
【０００１】
本出願は、参照により本明細書中に援用されている２０１０年１１月１６日出願の「ＳＥＧＭＥＮＴＥＤ  ＣＯＮＳＴＲＡＩＮＩＮＧ  ＳＬＥＥＶＥＳ  ＦＯＲ  ＥＸＰＡＮＤＡＢＬＥ  ＭＥＤＩＣＡＬ  ＤＥＶＩＣＥＳ」という名称の米国仮特許出願第６１／４１４，２５３号の優先権を主張するものである。
【０００２】
本開示は一般に、移植型医療デバイスの経カテーテル搬送及び遠隔展開に関する。
【背景技術】
【０００３】
患者の血管系の治療部域を治療するために使用される管腔内デバイスは、典型的には、カテーテルアセンブリを介して搬送される。このような管腔内デバイスには例えば延伸型インプラントが含まれていてよい。延伸型インプラントの１つの一般的タイプは、ステントグラフトである。ステントグラフトは、患者の血管系への搬送のために直径の減縮された圧潰形状構成を有し、その後血管系の治療部域にひとたび到達すると延伸され得る。ステントグラフトは、生体適合性スリーブによって、圧潰形状構成に拘束することができる。
【０００４】
このようなスリーブの使用は、ステントグラフトを拘束する便利な方法を提供するものの、スリーブは他の課題又は問題を発生させる場合がある。例えば、血管系の治療部域内部に移植するために生体適合性スリーブにより拘束されているステントグラフトを位置づけすることは困難であるかもしれない。さらに、ステントグラフトの延伸を可能にするためにスリーブを取外すか又は延伸させることは困難であるかもしれない。最後に、スリーブで拘束されたステントグラフトをその延伸後に配向又は位置設定することが困難であるかもしれない。これらの問題は、スリーブで拘束されたステントグラフトが、側枝開窓部（又は側枝入口）又は側枝を取付けるように構成された開窓可能な部分を伴って構成されている場合に強調される可能性がある。
【発明の概要】
【０００５】
したがって、搬送のためのスリーブ拘束式延伸型インプラントの準備の改善、インプラントの正確な搬送、及びインプラントの正しい配向及び位置付けを容易にするデバイス、システム及び方法が有用であり、かつ望ましい。
【０００６】
添付の図面は、開示のさらなる理解を提供するように含み入れられ、本明細書の一部を構成し、開示の実施形態を例示し、明細書と共に開示の原理を説明するのに役立つ。
【図面の簡単な説明】
【０００７】
【図１】複数の管状スリーブにより搬送プロファイルに拘束された医療デバイスを有するカテーテルアセンブリの斜視図である。
【図２】医療デバイスの側枝開窓部との関係におけるスリーブの位置を示す、延伸した医療デバイスを有するカテーテルアセンブリの斜視図である。
【図３】角変位したスリーブにより搬送プロファイルに拘束された医療デバイスを有するカテーテルアセンブリの斜視図である。
【図４】角変位したスリーブの位置を示す、延伸した医療デバイスを有するカテーテルアセンブリの斜視図である。
【図５Ａ】搬送プロファイルに拘束された医療デバイスを有するカテーテルアセンブリの斜視図である。
【図５Ｂ】搬送プロファイルに拘束された医療デバイスを有するカテーテルアセンブリの軸線方向図である。
【図５Ｃ】中間形状構成に拘束された医療デバイスを有するカテーテルアセンブリの軸線方向図である。
【図６】管状スリーブにより搬送プロファイルに拘束された医療デバイスを有するカテーテルアセンブリの斜視図である。
【図７Ａ】搬送プロファイルに拘束された医療デバイスを有するカテーテルアセンブリの斜視図である。
【図７Ｂ】搬送プロファイルに拘束された医療デバイスを有するカテーテルアセンブリの軸線方向図である。
【図７Ｃ】中間形状構成に拘束された医療デバイスを有するカテーテルアセンブリの斜視図である。
【発明を実施するための形態】
【０００８】
本開示は、一定数の実施形態について記載しているものの、これらの実施形態に限定されないものと理解される。むしろ本開示は、記載され請求されている通りの本開示の精神及び範囲内に含まれる可能性のある全ての変形形態、修正及び等価物を網羅するように意図されている。
【０００９】
本開示の様々な実施形態は、患者の血管系の治療部域に延伸型インプラントを搬送するように構成されたカテーテルアセンブリを含む。開示の実施形態によると、延伸型インプラントは１つ以上のスリーブにより拘束されている。スリーブが延伸された又は取外された場合、延伸型インプラントの１つ以上の標的部分が露出され得る。様々な実施形態において、１つ又は複数の部分は、側枝開窓部又は開窓可能な部分を含む。このような標的部分は、隣接するスリーブ間、又は単一のスリーブの縁部間で露呈されてよい。
【００１０】
最初に図１を参照すると、本開示に係るカテーテルアセンブリ１００は、延伸型インプラント１０２を含んでいる。延伸型インプラント１０２は、血管系の治療部域への搬送に好適な任意の管腔内デバイスを含んでいてよい。このようなデバイスには、例えばステント、グラフト及びステントグラフトが含まれていてよい。
【００１１】
様々な実施形態において、延伸型インプラント１０２はステントグラフトを含む。従来のステントグラフトは、搬送プロファイルの直径から一範囲の中間直径を通って既定の機能的最大直径に至るまで拡張するように設計されており、一般に、ステントの上及び／又は下を移動する１つ以上のグラフト部材を伴う１つ以上のステント構成要素を含む。
【００１２】
様々な実施形態において、延伸型インプラント１０２は、ニチノールで作られた１つ以上のステント構成要素とｅＰＴＦＥで作られたグラフトとを含む。しかしながら、以下で論述するように、１つ又は複数のステント構成要素及び１つ又は複数のグラフト部材の任意の好適な組合せが、本開示の範囲内に入る。
【００１３】
例えば、ステント構成要素は、様々な形態例えばリング、カットチュープ、巻き線（又はリボン）あるいは管形に巻き取られた平坦な模様付きのシートなどの形状構成を有することができる。ステント構成要素は、金属、ポリマー又は天然材料から形成され得、従来の医療グレードの材料、例えばナイロン、ポリアクリルアミド、ポリカルボネート、ポリエチレン、ポリホルムアルデヒド、ポリメチルメタクリレート、ポリプロピレン、ポリテトラフルオロエチレン、ポリトリフルオロクロルエチレン、ポリ塩化ビニル、ポリウレタン、エラストマー性オルガノシリコンポリマー、金属、例えばステンレス鋼、コバルト−クロム合金及びニチノール及び生物学的に誘導された材料、例えばウシの動脈／静脈、心膜及びコラーゲンを含むことができる。ステント構成要素は、ポリ（アミノ酸）、ポリ（無水物）、ポリ（カプロラクトン）、ポリ（乳酸／グリコール酸）ポリマー、ポリ（ヒドロキシブチレート）及びポリ（オルトエステル）などの生体再吸収性材料をも含み得る。カテーテルにより搬送され得るあらゆる延伸型ステント構成要素が、本開示に係るものである。
【００１４】
さらに、グラフト部材向けの潜在的材料としては、例えば、延伸ポリテトラフルオロエチレン（ｅＰＴＦＥ）、ポリエステル、ポリウレタン、フルオロポリマー、例えばペルフルオロエラストマーなど、ポリテトラフルオロエチレン、シリコーン、ウレタン、超高分子量ポリエチレン、アラミド繊維及びそれらの組合せが含まれる。グラフト部材用の他の実施形態には、高強度ポリマー繊維、例えば超高分子量ポリエチレン繊維（例えばＳｐｅｃｔｒａ（登録商標）、Ｄｙｎｅｅｍａ  Ｐｕｒｉｔｙ（登録商標）など）又はアラミド繊維（例えばＴｅｃｈｎｏｒａ（登録商標）など）が含まれ得る。グラフト部材は、生物活性剤を含んでいてよい。一実施形態において、ｅＰＴＦＥグラフトは、その血液接触表面に沿って炭素構成要素を含む。カテーテルにより搬送され得るあらゆるグラフト部材が、本開示に係るものである。
【００１５】
様々な実施形態において、ステント構成要素及び／又はグラフト部材は、治療用コーティングを含んでいてよい。これらの実施形態において、ステント構成要素及び／又はグラフト部材の内側又は外側には例えばＣＤ３４抗原がコーティングされ得る。さらに、なかでも例えばへパリン、シロリマス、パクリタキセル、エベロリマス、ＡＢＴ−５７８、ミコフェノール酸、タクロリマス、エストラジオール、酸素フリーラジカル捕捉剤、ビオリムスＡ９、抗ＣＤ３４抗体、ＰＤＧＦ受容体遮断薬、ＭＭＰ−１受容体遮断薬、ＶＥＧＦ、Ｇ−ＣＳＦ、ＨＭＧ−ＣｏＡ還元酸素阻害剤、ｉＮＯＳ及びｅＮＯＳの刺激剤、ＡＣＥ阻害薬、ＡＲＢ、ドキシサイクリン及びタリドミドを含めた任意の数の薬物又は治療剤を用いてグラフト部材をコーティングしてよい。
【００１６】
様々な実施形態において、延伸型インプラント１０２は、患者の血管系の治療部域への搬送に好適である半径方向に圧潰された形状構成を含んでいてよい。延伸型インプラント１０２は、半径方向圧潰形状構成に拘束され、カテーテルシャフト１１０などの搬送デバイス上に取付けられていてよい。圧潰形状構成での延伸型インプラント１０２の直径は、インプラントが血管系を通って治療部域に搬送されるのに充分小さいものである。様々な実施形態において、圧潰形状構成の直径は、カテーテルアセンブリ１００の交差プロファイルを最小限におさえ患者の組織に対する損傷を削減するのに充分小さいものである。圧潰形状構成において、延伸型インプラント１０２は血管系を通ってカテーテルシャフト１１０により誘導されてよい。
【００１７】
様々な実施形態において、延伸型インプラント１０２は、患者の血管系の治療部域内にデバイスを移植するために好適な半径方向に延伸した形状構成を含んでいてよい。延伸形状構成において、延伸型インプラント１０２の直径は、修復すべき血管とほぼ同じであってよい。他の実施形態では、延伸形状構成における延伸型インプラント１０２の直径は、血管内部で引張り嵌め（ｔｒａｃｔｉｏｎｆｉｔ）を提供するよう、治療すべき血管よりもわずかに大きいものであってよい。
【００１８】
様々な実施形態において、延伸型インプラント１０２は、自己延伸型デバイス、例えば自己延伸型ステントグラフトを含んでいてよい。このようなデバイスは、抑制解除された場合に、半径方向圧潰形状構成から半径方向延伸形状構成まで拡張する。他の実施形態において、延伸型インプラント１０２は、例えばバルーンなどの二次的デバイスの補助を受けて延伸されるデバイスを含んでいてよい。さらに他の実施形態においては、カテーテルアセンブリ１００は複数の延伸型インプラント１０２を含んでいてよい。任意の数の延伸型インプラントを伴うカテーテルアセンブリの使用は、本開示の範囲内に入る。
【００１９】
本開示に係る様々な医療デバイスは、１つのスリーブ又は多数のスリーブを含む。１つ又は複数のスリーブは、患者の血管系の治療部分までインプラントを管腔内搬送するため、延伸型インプラントデバイスを圧潰形状構成に拘束することができる。本開示の目的で、「拘束する」という用語は、（ｉ）延伸型インプラントの自己延伸を介した又はデバイスの補助受けた直径の延伸を制限すること、又は（ｉｉ）（例えば保管又は生体適合性の理由から、及び／又は延伸型インプラント及び／又は血管系に対して保護を提供するために）延伸型インプラントを被覆するか又は取り囲むものの他の形でそれを抑制しないこと、を意味してよい。
【００２０】
展開の後、１つ又は複数のスリーブは、延伸型インプラントをその機能的直径まで延伸させ、所望の治療成果を達成するために取外されてよい。１つ又は複数のスリーブは、延伸型インプラントと干渉することなく移植された状態にあり続けることができる。
【００２１】
様々な実施形態において、延伸型インプラントは、延伸型インプラントを円周方向に取り囲む単一のスリーブによって拘束される。例えば、図６を参照すると、カテーテルアセンブリ６００はスリーブ６０４を含む。様々な実施形態において、スリーブ６０４は延伸型インプラント６０２を円周方向に取り囲み、それを、直径が非拘束インプラントの直径より小さい圧潰形状構成に拘束する。例えば、スリーブ６０４は、血管系内部での搬送のため延伸型インプラント６０２を圧潰形状構成に拘束してよい。
【００２２】
他の実施形態において、延伸型インプラントは、それを円周方向に取り囲む複数のスリーブによって拘束される。例えば、図１を参照すると、カテーテルアセンブリ１００はスリーブ１０４ａ、１０４ｂ及び１０４ｃを含む。各スリーブ１０４は、他の２つのスリーブとは全く異なり別個であり、各々は延伸型インプラント１０２の一部分を同心的に取り囲んでいる。
【００２３】
様々な実施形態において、スリーブ１０４ａ、１０４ｂ及び１０４ｃは、例えば接着、係留又は他の任意の形の結合によって、互いに結合されてよい。例えば、図１を参照すると、スリーブ１０４ａ、１０４ｂ及び１０４ｃは、スリーブ１０４ａ、１０４ｂ及び１０４ｃが１つの個別のスリーブとして作用するような形で係留具１４０及び１４２により結合されてよい。係留具１４０及び１４２は、スリーブ１０４ａ、１０４ｂ及び１０４ｃを構成しているものと同じ材料などの、本開示の好適な材料のいずれかを含んでいてよい。実際、一部の実施形態では、個別のスリーブ１０４ａ、１０４ｂ及び１０４ｃを作り上げるもののただし係留具１４０及び１４２は残すような形で、単一のスリーブを切断又は穿孔してもよい。以下でさらに詳述されている一部の実施形態では、単一のスリーブ内に側方開口部を切り取って、（例えば側方開口部のサイズを比較的大きいものとすることによって）単一のスリーブが多数のスリーブとして作用するようになっている。様々な形状構成において、スリーブ１０４ａ、１０４ｂ及び１０４ｃは、一定の要領で結合されていることから、延伸型インプラント１０２の展開後スリーブの取外しをさらに容易にし、かつ／又はスリーブ１０４ａ、１０４ｂ及び１０４ｃが確実に１つの個別のスリーブとして移植された状態にとどまるようにすることができる。
【００２４】
このような形状構成においては、各々の全く異なるスリーブは、個別のスリーブとして形成されてよく、あるいは、延伸型インプラントのまわりに単一のスリーブを形成しかつ例えば単一のスリーブを個別のスリーブに切断することで単一のスリーブから個別のスリーブを作り上げることによって作り出されてもよい。
【００２５】
さらなる一例として、図３を参照すると、カテーテルアセンブリ３００はスリーブ３０４ａ及び３０４ｂを含む。各スリーブ３０４はもう一方のスリーブとは全く異なり別個のものであり、各々延伸型インプラント３０２の一部分を同心的に取り囲んでいる。
【００２６】
様々な実施形態において、スリーブは管状であり延伸型インプラントを拘束するのに役立つことができる。このような形状構成において、スリーブは、延伸型インプラントのまわりを卷回するか又は包み込む１つ以上の材料のシートで形成されている。延伸型インプラントを拘束するために多数のスリーブが使用される場合、各スリーブは、もう一方のスリーブ端部に隣接する少なくとも１つのスリーブ端部を含むことができる。本明細書中の例示的実施形態は、１つ以上のスリーブを含むものとして記述されているが、下層の延伸型インプラントに対応する管状以外の任意の形状を有するか又は所与の利用分野のために他の形で適切に整形されたスリーブも同様に、本開示の範囲内に入る。
【００２７】
様々な実施形態においては、スリーブは、シートの２つの平行な縁部が実質的に整列するような形で1つ又は複数の材料のシートを卷回するむか又は包み込むことによって形成される。前記整列は、カテーテルアセンブリのカテーテルシャフトに対し平行であるか又はそれと同軸であってよいが、あるいはそうでなくてもよい。様々な実施形態において、１つ又は複数の材料のシートの縁部は互いに接触していない。
【００２８】
様々な実施形態においては、１つ又は複数の材料のシートの縁部は互いに実際に接触し、以下で記述するような結合部材、接着剤などを用いて結合される。他の様々な実施形態において、１つ又は複数の材料のシートの縁部は、１つ又は複数シートの同じ面（例えばシートの表面又は裏面）の縁部が互いに接触した状態となるような形で整列される。さらに他の実施形態では、１つ又は複数の材料のシートの反対側の面の縁部は、互いに接触した状態にあり、このため、縁部は互いに重複し、こうしてシートの片面の一部分は他方の面の一部分と接触した状態になる。換言すると、シートの表面はシートの裏面と重複してよく、逆も成立する。
【００２９】
様々な実施形態において、スリーブは、グラフト部材を形成するために使用される材料と類似の材料を含む。例えば、スリーブを製造するために使用される前躯体可撓性シートを、平坦化した薄壁ｅＰＴＦＥ管から形成することができる。薄壁管は、シート又は管壁内に付着した又は埋込まれた長手方向高強度繊維の形をした「リップストップ」を包含し得る。
【００３０】
１つ又は複数のスリーブを形成するのに使用される１つ又は複数の材料のシートは、一連の開口部を含んでいてよく、こうして、開口部は、シートの一方の縁部から他方の縁部まで延在するようになっている。このような形状構成では、１つ又は複数の材料のシート内の一連の開口部を通って結合部材を織り込むか又は縫い込み、２つの縁部の各々を共に固定し管を形成することができる。
【００３１】
様々な実施形態において、結合部材は製織繊維を含んでいてよい。他の実施形態において、結合部材はモノフィラメント繊維を含んでいてよい。スリーブを管形状に維持することのできるあらゆるタイプのひも、コード、より糸、繊維又はワイヤが、本開示の範囲内に入る。
【００３２】
様々な実施形態において、１つ以上のスリーブの直径を拘束するために、単一の結合部材を使用してよい。例えば、図６を参照すると、延伸型インプラント６０２のまわりでスリーブ６０４の形状構成を維持するために、単一のスリーブ６０４内の開口部を通って結合部材６１４が織り込まれている。別の実施例では、図１を参照すると、単一の結合部材１１４が複数のスリーブ１０４ａ、１０４ｂ及び１０４ｃ内の開口部を通って織り込まれている。
【００３３】
他の実施形態では、１つ以上のスリーブの直径を拘束するために、多数の結合部材を使用してよい。例えば図３を参照すると、延伸型インプラント３０２のまわりでそれぞれスリーブ３０４ａ及び３０４ｂの形状構成を維持するために、結合部材３１４ａ及び３１４ｂが使用される。単一のスリーブ又は任意の数のスリーブと任意の数の結合部材の併用は、本開示の範囲内に入る。
【００３４】
様々な実施形態において、好適な延伸型インプラントを一旦圧潰形状構成にしたならば、延伸型インプラントを患者の血管系内部で展開させてよい。圧潰形状構成にある延伸型インプラントを血管系に導入し、カテーテルアセンブリにより血管系の治療部域まで誘導してよい。血管系の治療部域内の所定の位置にひとたび入ったならば、延伸型インプラントを、延伸形状構成まで延伸させてよい。
【００３５】
様々な実施形態において、延伸型インプラントが血管系内部の所定の位置に置かれた時点で、１つ又は複数の結合部材を、１つ又は複数のスリーブから患者の身体外で係合解除させることができ、こうして１つ又は複数のスリーブは開放し延伸型インプラントは延伸できるようになる。以上で論述した通り、延伸型インプラントは自己延伸型であってよく、あるいは、バルーンなどのデバイスによりインプラントを延伸させてもよい。
【００３６】
１つ又は複数の結合部材は、患者の体外から操作される機械的機序により、１つ又は複数のスリーブから係合解除されてよい。例えば、１つ又は複数の部材に充分な張力を加えることによってそれを係合解除してよい。別の実施例では、身体の外側の１つ又は複数の結合部材にダイヤル又は回転要素を付着させてもよい。ダイヤル又は回転要素の回転は、１つ又は複数の結合部材を係合解除するのに充分な張力を提供し得る。
【００３７】
他の形態において、１つ又は複数の結合部材は、超音波を提供することによる溶解などの非機械的機序により係合解除されてよい。このような形態においては、１つ又は複数の結合部材を１つ又は複数のスリーブから係合解除するのに充分な超音波エネルギーがこれらの結合部材に提供される。
【００３８】
様々な実施形態において、単一のスリーブを閉鎖する単一の結合部材をこのスリーブから係合解除することにより、延伸型デバイスを延伸させることができる。例えば、図６を参照すると、延伸型インプラント６０２を血管系の治療部域に搬送するために、カテーテルアセンブリ６００を使用してよい。延伸型インプラント６０２は、搬送のための圧潰形状構成を有し、スリーブ６０４は延伸型インプラント６０２を円周方向に取り囲み、結合部材６１４により閉鎖状態に保たれる。ひとたび延伸型インプラント６０２が治療部域との関係における所定の位置に入った時点で、結合部材６１４はスリーブ６０４から係合解除され、スリーブ６０４は解放されて、延伸型インプラント６０２がより大きな直径まで延伸できるようにする。
【００３９】
他の実施形態においては、複数のスリーブを閉鎖する単一の結合部材が、この複数のスリーブから係合解除されて、延伸型デバイスが延伸できるようにする。例えば、図１を参照すると、カテーテルアセンブリ１００は、延伸型インプラント１０２を取り囲む複数のスリーブ１０４を含む。各スリーブ１０４は、単一の結合部材１１４により縫い合わされた各スリーブの部分が、互いに実質的に整列されるような形でカテーテルシャフト１１０の長手方向軸線上に配向される。しかしながら、複数のスリーブ１０４の間のあらゆる相対的な角度的変位が、本開示の範囲内に入る。
【００４０】
結合部材１１４が最も遠位のスリーブ１０４ｃから係合解除された時点で、スリーブ１０４ｃにより拘束された延伸型インプラント１０２の部分は、より大きい直径まで延伸し得る。前述の通り、延伸型インプラント１０２は、自己延伸型であってもよいし、あるいはバルーンなどのデバイスを用いて延伸してよい。
【００４１】
その後、結合部材１１４はさらに係合解除され、２番目に遠位のスリーブ１０４ｂにより拘束された延伸型インプラント１０２の部分がより大きい直径まで延伸できるようにする。このとき、残りの結合部材１１４が係合解除され、最も近位のスリーブ１０４ａが開放されて、延伸型インプラント１０２は、その長手方向の残りの部分に沿ってその延伸形状構成まで延伸できることになる。結合部材１１４の係合解除は、延伸型インプラント１０２の遠位端部で開始し近位端部に向かって進行するものとして説明されているが、１つのスリーブ又は多数のスリーブからの１つ又は複数の結合部材の係合解除のあらゆる順序、例えば近位から遠位、中央から端部、端部から中央などの順序が、本開示の範囲内に入る。
【００４２】
他の実施形態においては、多数の結合部材が、単一のスリーブ又は多数のスリーブと併用される。例えば、図３を参照すると、カテーテルアセンブリ３００は少なくとも２つのスリーブ３０４ａと３０４ｂを含む。スリーブ３０４ａ及び３０４ｂは、それぞれ結合部材３１４ａ及び３１４ｂにより閉鎖された状態に保持される。様々な実施形態において、スリーブ３０４ａ及び３０４ｂは、結合部材３１４ａ及び３１４ｂにより固定されたスリーブの部分が、互いとの関係において約１８０度だけ角変位された形で配向されてよい。他の実施形態では、結合部材３１４ａ及び３１４ｂにより固定されたスリーブの部分は、互いとの関係において、約ゼロ度超で約１８０度未満だけ角変位される。複数のスリーブ３０４間のあらゆる相対的角変位度が、本開示の範囲内に入る。
【００４３】
図３に例示されている形態においては、結合部材３１４ａ及び３１４ｂは、別個に係合解除されてスリーブ３０４ａ及び３０４ｂを開放してよい。両方のスリーブ３０４がひとたび開放されたならば、延伸型インプラント３０２を延伸形状構成まで延伸させてよい。
【００４４】
本開示の様々な実施形態において、延伸型インプラントはさらに、中間形状構成を含んでいてよい。中間形状構成において、延伸型インプラントの直径は、延伸形状構成よりも小さくかつ圧潰形状構成より大きい直径に拘束される。このような実施形態においては、延伸型インプラントは、ひとたびインプラントが患者の血管系の治療部域近くに搬送された時点で、圧潰形状構成から中間形状構成まで延伸されてよい。中間形状構成は、とりわけ、血管系の治療部域内部で延伸型インプラントを適正に配向し位置設定する上で補助することができる。
【００４５】
様々な実施形態において、延伸型インプラントは、異なる直径を有する少なくとも２つのスリーブにより同心的に取り囲まれていてよい。このような形態においては、１つ以上の一次スリーブが、延伸型インプラントを搬送プロファイルに拘束する。ひとたび一次スリーブが開放された時点で、１つ以上の二次スリーブが延伸型インプラントを中間形状構成に拘束する。上述の通り、延伸型インプラントは、自己延伸型であってよく、あるいは、インプラントをバルーンなどのデバイスにより延伸させてもよい。
【００４６】
例えば、図７Ａ〜７Ｃを参照すると、カテーテルアセンブリ７００は、延伸型インプラント７０２と二次スリーブ７０４ａ及び７０４ｂとを含む。二次スリーブ７０４ａ及び７０４ｂは、延伸型インプラント７０２を中間形状構成に拘束する。二次スリーブ７０４ａ及び７０４ｂは、それぞれ結合部材７１４ａ及び７１４ｂにより、延伸型インプラント７０２のまわりの所定の位置に保持される。
【００４７】
カテーテルアセンブリ７００はさらに一次スリーブ７１８を含み、これは、患者の血管系への搬送のため圧潰形状構成に延伸型インプラント７０２を拘束する。一次スリーブ７１８は、一次結合部材７２２により延伸型インプラント７０２のまわりの所定の位置に保持される。
【００４８】
延伸型インプラント７０２がひとたび血管系の治療部域に充分近くなった時点で、一次結合部材７２２は一次スリーブ７１８から係合解除され、これにより一次スリーブ７１８は解放された後も、一次スリーブ７１８の内側にある二次スリーブ７０４ａ及び７０４ｂは延伸型インプラント７０２を中間形状構成に拘束する。中間形状構成において、延伸型インプラント７０２を血管系の治療部域の内部で配向し、最終的な所望の場所に調整してよい。
【００４９】
本開示の他の実施形態においては、延伸型インプラントを圧潰形状構成と中間形状構成の両方に拘束するために単一のスリーブを使用してよい。例えば図５Ａ〜５Ｂを参照すると、カテーテルアセンブリ５００は、延伸型インプラント５０２、モノスリーブ５０４、一次結合部材５１６及び二次結合部材５１４を含む。
【００５０】
モノスリーブ５０４はさらに、複数の中間孔５０６を含む。この形状構成において、二次結合部材５１４は中間孔５０６を通って縫い込まれるか又は織り込まれ、モノスリーブ５０４と延伸型インプラント５０２を中間形状構成の直径へと拘束する。中間形状構成において、延伸型インプラント５０２の直径は、延伸された直径よりも小さく、圧潰形状構成の直径よりも大きい。
【００５１】
モノスリーブ５０４はさらに、複数の圧縮孔５０８を含む。この形態においては、一次結合部材５１６は圧縮孔５０８を通って縫い込まれるか又は織り込まれ、モノスリーブ５０４と延伸型インプラント５０２を圧潰形状構成の直径に拘束する。圧潰形状構成の直径は、延伸型インプラント５０２を患者の血管系の治療部域へ搬送できるように選択される。
【００５２】
ひとたび延伸型インプラント５０２が血管系の治療部域近くの領域まで搬送された時点で、一次結合部材５１６はモノスリーブ５０４から係合解除され、延伸型インプラント５０２が中間形状構成まで延伸できるようにしてよい。延伸型インプラント５０２は、血管系の治療部域の内部の適正な場所に配向され調整されてよい。最終的位置づけの後、二次結合部材５１４をモノスリーブ５０４から係合解除してよく、延伸型インプラント５０２を延伸形状構成まで延伸させてよい。
【００５３】
結合部材（例えば一次及び二次結合部材）及びスリーブ（例えば一次及び二次スリーブ）の一定数の具体的形状構成について論述してきたが、あらゆる数及び／又は形状構成の結合部材及びスリーブの使用が、本開示の範囲内に入る。
【００５４】
上述した通り、様々な実施形態が複数の延伸型インプラントを含んでいてよい。このような実施形態では、単一のスリーブ、多数のスリーブ及び／又は多数の同心スリーブを、この複数の延伸型インプラントと併用してよい。単一又は多数のスリーブのあらゆる形状構成を伴う、あらゆる数の延伸型インプラントの使用が、本開示の範囲内に入る。
【００５５】
様々な実施形態において、延伸型インプラントを拘束するために使用されるスリーブは、さらに、Ｘ線不透過性マーカーを含んでいてよい。このような形態では、Ｘ線不透過性マーカーは、結合部材が一連の開口部を通って縫い込まれている領域において、スリーブの縁部に位置設定されてよい。Ｘ線不透過性マーカーは、例えば、Ｘ線などの放射線デバイスの使用中にスリーブ及び結合部材の位置設定及び配向の可視性を増大させることなどによって、血管系内部の延伸型インプラントの位置づけ及び配向を補助し得る。
【００５６】
例えば、図１を参照すると、スリーブ１０４ｃはＸ線不透過性マーカー（図示せず）を含んでいてよい。様々な実施形態において、Ｘ線不透過性マーカーは、スリーブ１０４ｃの遠位端部又はその近くに位置設定された円周方向バンドを含む。血管系内部の延伸型インプラントの位置設定及び配向を補助するＸ線不透過性マーカーのあらゆる配置又は形態が、本開示の範囲内に入る。
【００５７】
本開示の様々な実施形態において、延伸型インプラントは、少なくとも１つの標的部分を含んでいてよい。このような形態においては、１つ又は複数の標的部分は延伸型インプラントの表面上に位置設定されている。以上で指摘した通り、様々な実施形態において、１つ又は複数の標的部分は側枝開窓部を含んでいてよい。側枝開窓部は、分岐デバイス、例えば分岐ステントグラフトが延伸型インプラントに接続されそれと連通できるようにする。様々な形態において、側枝開窓部の直径は、修復すべき血管とほぼ同じであってよい。他の形態においては、側枝開窓部の直径は、修復すべき血管の直径よりも大きくてよい。さらに他の実施形態では、側枝開窓部の直径は、修復すべき血管の直径よりも小さくてよい。
【００５８】
側枝開窓部の横断面は例えば、円形、「Ｄ字」形、楕円形、三角形、正方形、多角形に整形されているか又は無作為に整形されていてよい。あらゆる横断面形状の側枝開窓部が、本開示の範囲内に入る。
【００５９】
様々な実施形態において、標的部分は開窓可能な部分を含んでいてよい。このような形状構成では、標的部分は、延伸型インプラントが患者の血管系内に部分的又は完全に移植された後、管腔内ツールにより開窓され得る壊れやすい材料で構成されている。ひとたび開窓されたならば、標的部分を、例えば延伸型インプラントへの分岐ステントグラフトの設置のために使用してよい。
【００６０】
標的部分を含む本開示の様々な実施形態において、標的部分は、１つ以上のスリーブにより被覆されるような形で配向されてよい。このような形態においては、標的部分は、１つ以上のスリーブの延伸時点で血管系に露出されてよい。
【００６１】
例えば、図４を参照すると、延伸型デバイス３００は、標的部分４００及び４０２を含む。標的部分４００及び４０２は、延伸型インプラント３０２が圧潰形状構成にある場合にスリーブ３０４ａ及び３０４ｂにより被覆されるような形で構成される。スリーブ３０４ａ及び３０４ｂがひとたび延伸された時点で、延伸型インプラント３０２はより大きな直径まで延伸し、スリーブの平行な縁部の間に標的部分４００及び４０２を露出させる。
【００６２】
他の形態において、標的部分は、それが多数のスリーブに取り囲まれてはいてもそれによって被覆はされないような形で、配向されてよい。例えば図２を参照すると、カテーテルアセンブリ１００は、標的部分２００及び２０２を伴う延伸型インプラント１０２を含む。この実施形態において、標的部分２００及び２０２は、それが隣接するスリーブ１０４ａ、１０４ｂ及び１０４ｃにより取り囲まれているものの被覆はされないような形で位置づけされる。
【００６３】
このような形態において、スリーブ１０４は側方開口部１１６及び／又は１１８を含んでいてよい。様々な実施形態において、側方開口部１１６及び／又は１１８は、スリーブ１０４のいずれかの端部又は両端部に、アパーチャ、切込み又は窪みを含む。このようなアパーチャ、切込み又は窪みは互いに相互作用して、標的部分２００及び／又は２０２を取り囲むものの被覆しないようにする。
【００６４】
例えば、標的部分２００は、スリーブ１０４ａの遠位端部１０６とスリーブ１０４ｂの近位端部１０８の間に位置づけされていてよい。スリーブ１０４ａの遠位端部１０６及びスリーブ１０４ｂの近位端部１０８は各々、スリーブ１０４ａ及び１０４ｂの延伸の時点で患者の血管系に標的部分２００を露出できるようにする側方開口部１１６及び／又は１１８を含んでいてよい。
【００６５】
さらに、標的部分２０２は、スリーブ１０４ｂの遠位端部１０６とスリーブ１０４ｃの近位端部１０８の間に位置づけされてよい。スリーブ１０４ｂの遠位端部１０６とスリーブ１０４ｃの近位端部１０８は各々、スリーブ１０４ｂ及び１０４ｃの延伸時点で患者の血管系に標的部分２０２を露出できるようにする円形切込みを含んでいてよい。
【００６６】
さらに、例えば圧潰、中間及び完全展開を提供するため多数のスリーブを有する様々な実施形態においては、各々の展開段階において血管系に標的部分を露出できるようにするように、側方開口部が各々スリーブ内に存在し位置設定されてよい。様々な実施形態において、一次及び二次スリーブの側方開口部は、異なるサイズ、例えば１つ又は複数の二次スリーブ上では比較的小さく、１つ又は複数の一次スリーブ上では比較的大きい（又はその逆）サイズを有していてよい。
【００６７】
様々な実施形態において、標的部分は、単一スリーブ内に切り取られた側方開口部の下に位置づけされてよい。このような実施形態では、側方開口部が充分に大きいため、単一のスリーブは、図２に関して上述したもののような多数のスリーブとして作用することができる。例えば、図７Ａ及び７Ｂを参照すると、スリーブ７０４ａ及び／又は７０４ｂは、側方開口部が少なくとも１つの標的部分上に配向されるように配向された充分に大きな少なくとも１つの窓を含んでいてよい。延伸型インプラントの標的部分に対するアクセスを可能にするあらゆるスリーブ形態が、本開示の範囲内に入る。
【００６８】
様々な実施形態において、延伸型デバイスは、少なくとも１つの標的部分が隣接するスリーブ間に位置設定され、少なくとも１つの標的部分が延伸した１つ又は複数のスリーブの平行な縁部間に位置設定されるような形で、複数の標的部分を含んでいてよい。隣接するスリーブ間に位置設定されたもの及び延伸した１つのスリーブの平行な縁部間に位置設定されたものを含めた標的部分のあらゆる形態が、本開示の範囲内に入る。
【００６９】
本開示の様々な実施形態において、標的部分は、Ｘ線不透過性セグメントを含んでいてよい。このような形態において、標的部分は、患者の血管系の内部で標的部分及び延伸型インプラントを位置設定及び配向する上で補助するＸ線不透過性セグメント又はマーカーによって取り囲まれていてよい。様々な実施形態において、標的部分はＸ線不透過性セグメントと側枝開窓部又は開窓可能な部分いずれかの両方を含む。これらの形態では、Ｘ線不透過性セグメントは、とりわけ、標的部分への側枝ステントグラフトの搬送及び設置を補助することができる。
【００７０】
様々な実施形態において、標的部分は薬剤溶出性要素を含んでいてよい。これらの形態では、薬剤溶出性要素は、標的部分がひとたび患者の血管系に露出された時点で治療剤又は薬物を放出するセグメントを含む。このような治療剤又は薬物の例としては、エジシル酸プロクロルペラジン、硫酸第一鉄、アミノカプロン酸、塩酸メカキシルアミン、塩酸プロカインアミド、硫酸アンフェタミン、塩酸メトアンフェタミン、塩酸ベンズフェタミン、硫酸イソプロテロノール、塩酸フェンメトラジン、塩化べタネコール、塩化メタコリン、塩酸ピロカルピン、硫酸アトロピン、臭化スコポラミン、ヨウ化イソプロパミド、塩化トリジヘキセチル、塩酸フェンホルミン、塩酸メチルフェニデート、テオフィリンコリネート、塩酸セファレキシン、ジフェニドール、塩酸メクリジン、マレイン酸プロクロルペラジン、フェノキシベンザミン、マレイン酸チエチルペラジン、アニシンジオン、ジフェナジオン、四硝酸エリスリチル、ジゴキシン、イソフルロフェート、アセタゾールアミド、メタゾールアミド、ベンドロフルメチアジド、クロルプロパミド、トラザミド、酢酸クロルマジノン、フェナグリコドール、アロプリノール、アスピリンアルミニウム、メトトレキセート、アセチルスルフィソキサゾール、ヒドロコルチゾン、酢酸ヒドロコルチコステロン、酢酸コルチゾン、デキサメタゾン及びその誘導体、例えばベータメタゾン、トリアムシノロン、メチルテストステロン、１７−．ベータ．−エストラジオール、エチニルエストラジオール、エチニルエストラジオール３−メチルエーテル、プレドニゾロン、１７−．ベータ．−ヒドロキシプロゲステロンアセテート、１９−ノル−プロゲステロン、ノルゲストレル、ノルエチンドロン、ノルエチステロン、ノルエチエデロン、プロゲステロン、ノルゲステロン、ノルエチンドレル、インドメタシン、ナプロキセン、フェノプロフェン、スリンダク、インドプロフェン、ニトログリセリン、二硝酸イソソリビド、プロプラノロール、チモロール、アテノロール、アルプレノロール、シメチジン、クロニジン、イミプラミン、レボドパ、クロルプロマジン、メチルドパ、ジヒドロキシフェニルアラニン、テオフィリン、グルコン酸カルシウム、ケトプロフェン、イブプロフェン、アトルバスタチン、シンバスタチン、プラバスタチン、フルバスタチン、ロバスタチン、セファレキシン、エリスロマイシン、ハロペリドール、ゾメピラク、乳酸鉄、ビンカミン、フェノキシベンザミン、ジルチアゼム、ミルリノン、カプロトプリル、マンドール、クアンベンズ、ヒドロクロロチアジド、ラニチジン、フルルビプロフェン、フェンブフェン、フルプロフェン、トルメチン、アルクロフェナク、メフェナミク、フルフェナミク、ジフニナル、ニモジピン、ニトレンジピン、ニソルジピン、ニカルジピン、フェロジピン、リドフラジン、チアパミル、ガロパミル、アムロジピン、ミオフラジン、リシノプリル、エナラプリル、カプトプリル、ラミプリル、エナラプリラト、ファモチジン、ニザチジン、スクラルフェート、エチンチジン、テトラトロール、ミノキシジル、クロルジアゼポキシド、ジアゼパム、アミトリプチリン及びイミプラミンが含まれる。さらなる例としては、インスリン、コルヒチン、グルカゴン、甲状腺刺激ホルモン（ｔｈｙｒｏｉｄ  ｓｔｉｍｕｌａｔｉｎｇ  ｈｏｒｍｏｎｅ）、副甲状腺及び下垂体ホルモン、カルシトニン、レニン、プロラクチン、コルチコトロフィン、甲状腺刺激ホルモン（ｔｈｙｒｏｔｒｏｐｉｃ  ｈｏｒｍｏｎ）、卵胞刺激ホルモン、絨毛性ゴナドトロピン、ゴナドトロピン放出性ホルモン、ウシソマトトロピン、ブタソマトトロピン、オキシトシン、バソプレシン、プロラクチン、ソマトスタチン、リプレシン、パンクレオチミン、黄体形成ホルモン、ＬＨＲＨ、インタフェロン、インタロイキン、成長ホルモン類、例えばヒト成長ホルモン、ウシ成長ホルモン及びブタ成長ホルモン、受胎抑制剤、例えばプロスタグランジン、受胎促進剤、成長因子及びヒト膵臓ホルモン放出因子を含む（ただしこれらに限定されない）タンパク質及びペプチドがある。
【００７１】
様々な実施形態において、標的部分は、温度及び／又は圧力センサーなどのセンサーを含んでいてよい。他の実施形態では、センサーは血流速度を測定してよい。延伸型インプラントの標的部分に移植又は接続され得るあらゆるセンサーが、本発明の範囲内に入り、使用されるセンサーのタイプの如何に関わらず、本明細書中で開示されているものなどの構造及び方法によるスリーブの延伸及び／又は取外しの時点で患者の血管系に対し１つ又は複数のセンサーが露出されるような形で、スリーブを配向し構成してよい。
【００７２】
当業者にとっては、開示の精神及び範囲から逸脱することなく本開示に様々な修正及び変更を加えることができるということは明らかである。したがって、本開示は、添付のクレーム及びそれらの等価物の範囲内に入ることを条件として、本開示の修正及び変更を網羅するように意図されている。
【００７３】
同様にして、デバイス及び／又は方法の構造及び機能の詳細と共に様々な変形形態を含め数多くの特徴及び利点が、以上の説明中に記載された。開示は、例示を意図したものにすぎず、したがって網羅的であるようには意図されていない。当業者にとっては、添付のクレームが表現されている用語の広範な一般的意味が示す最大限度まで、特に開示の原理の範囲内に入る組合せを含めた部品の構造、材料、要素、構成要素、形状、サイズ及び配置に関して様々な修正を加えることが可能であるということは明白である。これらの様々な修正が添付のクレームの精神及び範囲から逸脱しないかぎり、それらはその中に包含されるよう意図される。
【図１】
0005952294.tif 000002
【図２】
0005952294.tif 000003
【図３】
0005952294.tif 000004
【図４】
0005952294.tif 000005
【図５Ａ】
0005952294.tif 000006
【図５Ｂ】
0005952294.tif 000007
【図５Ｃ】
0005952294.tif 000008
【図６】
0005952294.tif 000009
【図７Ａ】
0005952294.tif 000010
【図７Ｂ】
0005952294.tif 000011
【図７Ｃ】
0005952294.tif 000012